(57)【要約】      （修正有）【課題】従来技術の欠点を克服することができる改善されたヘアクリップを提供する。【解決手段】ヘアクリップは、本体１ａ，１ｂと、本体に取り付けられた一対の顎部２，３と、これら一対の顎部を片手で開くことを可能にする顎部開放装置とを備える。一対の顎部は、それぞれ櫛歯を有するとともに互いに離間した位置で本体に取り付けられることにより、それらの離間した位置で回動可能であり、髪を一対の櫛歯内に弾性的に把持するようになっている。本体上の回動位置を離間させることによって、表面を装飾されたまたは一部くり抜かれた本体を使用することを可能にし、ヘアクリップの美しさを高める。【選択図】図１
2010042278.tif 000002
【特許請求の範囲】
【請求項１】
本体部と、
該本体部に取り付けられた一対の顎部と、
これら一対の顎部を片手で開くことを可能にする顎部開放装置と
を備え、
前記一対の顎部は、それぞれ櫛歯を有するとともに前記本体部に弾性ヒンジ機構によって連結されることにより互いの前記櫛歯を合わせるように付勢して髪を把持し、
前記一対の顎部は、互いに横方向に離間した軸を規定するヒンジ位置で前記本体部に連結され、
前記顎部開放装置は、前記一対の顎部からそれぞれ前記櫛歯とは離れる方向へ延びる一対のハンドル部分を備えてこれらのハンドル部分を前記軸の回りで押し進めることにより前記一対の顎部を開くことを可能にし、
前記本体部は、前記櫛歯で把持された髪を収容する髪収容凹部を含み、
ヒンジカバー部が、前記ヘアクリップの外側から前記顎部と前記本体部との間の前記弾性ヒンジ機構を覆い、
該ヒンジカバー部は、前記本体部から延びるとともに前記顎部が開くときに前記顎部の下側内方へ相対的に移動するように配置される部分か、または前記顎部から延びるとともに前記顎部が開くときに前記本体部の下側内方へ相対的に移動するように配置される部分を備える、ヘアクリップ。
【請求項２】
前記本体部は外面を有し、前記弾性ヒンジ機構は、それぞれの前記顎部を前記外面から離れた位置で前記本体部に連結する、請求項１に記載のヘアクリップ。
【請求項３】
前記弾性ヒンジ機構は、それぞれの前記顎部を前記本体部に取り付ける枢支ピンと、前記本体部と前記顎部とを係合するバネ部材とを備える、請求項２に記載のヘアクリップ。
【請求項４】
前記本体部およびそれぞれの前記顎部は単一の部品から形成され、前記弾性ヒンジ機構は、該顎部および該本体部の相対的な回動を可能にするように薄肉化された前記単一の部品と、それぞれの前記顎部と前記本体部とに係合する弾性部材とから形成される、請求項２に記載のヘアクリップ。
【請求項５】
前記弾性ヒンジ機構は、前記顎部と前記本体部とを連結する弾性材料部分を備える、請求項２に記載のヘアクリップ。
【請求項６】
前記本体部は、それぞれの前記顎部が連結されるベースと、少なくとも１つの装飾カバーとを備える、請求項１に記載のヘアクリップ。
【請求項７】
少なくとも１つの前記装飾カバーは、使用の際に取り外し可能であり、それにより異なるカバーを前記ベースに連結することを可能にする、請求項６に記載のヘアクリップ。
【請求項８】
前記本体部は、大きな開口を前記軸の間に画定する細い縁部分を有し、装着時に装着者の髪が前記大きな開口から見える、請求項１に記載のヘアクリップ。
【請求項９】
それぞれの前記顎部は、使用の際に前記本体部と前記顎部との間に髪を挟持するだけの容積が形成されるような弓状の断面を有する、請求項１に記載のヘアクリップ。
【請求項１０】
それぞれの前記顎部は、複数の顎部分に分割され、互いに隣り合う前記顎部分は弾性的にヒンジ連結されており、それらのヒンジ連結の各軸は、前記横方向に離間した軸に対して平行である、請求項１に記載のヘアクリップ。
【請求項１１】
前記本体部は、ほぼ弓状の断面を有する、請求項１に記載のヘアクリップ。
【請求項１２】
前記一対の顎部および前記本体部は、前記一対の顎部が閉位置にあるときにほぼ円筒状の外面を画定する、請求項１に記載のヘアクリップ。
【請求項１３】
本体部と、
該本体部に取り付けられた一対の顎部と、
これら一対の顎部を片手で開くことを可能にする顎部開放装置と
を備え、
前記一対の顎部は、それぞれ櫛歯を有するとともに前記本体部に弾性ヒンジ機構によって連結されることにより互いの前記櫛歯を合わせるように付勢して髪を把持し、
前記一対の顎部は、互いに横方向に離間した軸を規定するヒンジ位置で前記本体部に連結され、
前記顎部開放装置は、前記一対の顎部からそれぞれ前記櫛歯とは離れる方向へ延びる一対のハンドル部分を備えてこれらのハンドル部分を前記軸の回りで押し進めることにより前記一対の顎部を開くことを可能にし、
前記本体部は、前記櫛歯で把持された髪を収容する髪収容凹部を含み、
カバー部が、前記顎部から延びて前記本体部と前記一対の顎部との間の隙間の少なくとも一部を覆うとともに、前記一対の顎部が開くときに前記本体部の下または上へ移動するように配置される、ヘアクリップ。
【請求項１４】
前記ヘアクリップの外側からそれぞれの前記顎部と前記本体部との間の前記弾性ヒンジ機構を覆うヒンジカバー部を含み、
該ヒンジカバー部は、前記本体部から延びるとともに前記顎部が開くときに前記顎部の下側内方へ相対的に移動するように配置される部分か、または前記顎部から延びるとともに前記顎部が開くときに前記本体部の下側内方へ相対的に移動するように配置される部分を備える、請求項１３に記載のヘアクリップ。
【発明の詳細な説明】
【技術分野】
【０００１】
本発明は、ヘアクリップに関し、特に、髪を把持する回動可能な顎部を有するヘアクリップに関する。
【背景技術】
【０００２】
回動可能な顎部を使用する１つのタイプの従来技術のクリップは、一般的にバタフライクリップとして知られる。これらのクリップは、櫛歯を有するとともに回動軸に沿って連結する２つの顎部を備える。顎部の櫛歯を閉位置へ弾性的に付勢して髪を把持するために、バネ機構が回動軸に設けられる。櫛歯が係脱して顎部が開くことを可能にするために、顎部には、顎部から櫛歯とは離れた位置に延びるレバー部材が備わる。これにより、クリップは典型的な「バタフライ」の外観となるため、それがクリップの一般的な名称になっている。クリップを装着した場合に、一番見える部分はレバー部材すなわち「翼」と回動・バネ機構である。問題は、これらのクリップは片手で容易に使用することができるが、回動・バネ機構の見栄えがあまりよくないことである。米国特許第５８６２８１５号公報に開示されている装置は、バネ機構を覆うカバーを提供することによってこの問題に対処している。しかしながら、このカバーは、ヘアクリップが開いて翼が閉じ合わさるときに曲がるまたは折り畳まれる必要がある。したがって、カバー機構は組み込むのに複雑で、壊れやすいため、特にクリップが老朽化すると、使用できなくなりやすい。
【０００３】
回動可能な顎部を提供する別のタイプのクリップは、米国特許第６１４２１５９号公報に開示されている。このクリップは、弾性材料から成る単一の平坦なストリップ片でできた髪止めピンである。平坦なストリップ片の両端部は、閉位置にあるときに結合する櫛歯を形成する。一例では、この２つの端部を引き離すことでクリップを開くことができる。この作業は、両手を使うことを必要とするため、バタフライクリップを開くのに必要な作業よりも複雑である。米国特許第６１４２１５９号公報における別の例では、ハンドル部分が備わり、ストリップ片が中央領域で曲がる。これは、片手作業を可能にするが、中央領域が可撓性を有することを必要とする。これにより、中央領域の装飾性が制限される。
【０００４】
米国特許第６１８６１５１号公報では、グルーミング装置およびヘアクリップを組合せたものが開示されており、この場合、本体にブラシ等のグルーミング装置が収容され、グルーミングの際にグルーミング装置を本体から外部へヒンジによって延出することができる。本体は、２つのヒンジアームを保持し、これら２つのヒンジアームにより、装置をヘアクリップとして使用することができる。しかしながら、この装置は、ヘアクリップとしては嵩張り、見栄えがよくない。
【発明の概要】
【発明が解決しようとする課題】
【０００５】
したがって、本発明の目的は、従来技術の欠点を克服することができる改善されたヘアクリップを提供することである。
【課題を解決するための手段】
【０００６】
概して、本発明は、それぞれ櫛歯を有する一対の顎部と、それぞれの顎部が回動可能かつ弾性的に取り付けられた本体部を提供し、一対の顎部は互いの櫛歯が合わさる閉位置へ付勢される。一対の顎部を片手で開くことを可能にするために、顎部開放装置が設けられる。一対の顎部は、互いに横方向に離間した回動軸を画定する回動位置で、本体部に取り付けられる。
【０００７】
回動軸を横方向に互いに離間することによって、装飾されるまたは目立たなくされる、また必要であれば回動機構を隠すように機能する本体を使用することができるため、使用の際にクリップの見た目の美しさを高める。
【０００８】
本発明は、一対の顎部の事実上の回動地点を互いに横方向に離間して保持するように機能する任意の本体部（単一の本体部分または複数の本体部分等）を含む。また、顎部は、単一または複数の顎部分の任意の配置を含むことができる。複数の顎部分が備わる場合、顎部分は、ともに回動可能に連結されて複数地点で回動される顎部を形成することができる。そのような装置では、互いの回動軸は、ほぼ平行している。顎部開放装置は、任意の適切な部文または部分の集まりを備えることにより顎部と本体部との間の弾性連結の弾力に逆らって、顎部を開位置へ回動可能に押し進めることを可能にする。
【０００９】
本発明の一実施形態では、本体部は外面を有し、回動機構は上記本体部に外面から離れて配置される。したがって、回動機構は、ヘアクリップを装着した場合に髪に隠れる。
【００１０】
本発明の一実施形態では、開放装置は、それぞれの櫛歯から離れた位置で上記一対の顎部から延び、かつ一対の顎部を回動軸の回りでレバーによって動かして開くためのレバー部材として機能するハンドル部分を備える。
【００１１】
本発明の代替的な一実施形態では、開放装置は、一対の顎部内に配置されるとともに各顎部と係合して顎部を付勢して開くために回動軸方向に動作可能な係合部材を備える。この実施形態では、顎部係合部分は、各顎部と係合して顎部を付勢して開くための傾斜した係合面を有することができる。また、顎部係合部分は、本体部によって保持されることができる。例えば、顎部係合部分を上記本体部に摺動可能に取り付け、それにより上記顎部係合部分が上記本体部に対して摺動して上記顎部に係合することを可能にすることができる。
【００１２】
本発明の別の実施形態では、弾性部が本体部とそれぞれの顎部との間に配置され、これらの本体部と顎部との間の弾性的連結を提供する。この実施形態では、各顎部は、枢支ピンによって本体部に取り付けることができ、弾性部は、本体部と顎部とに係合するバネ部材を備えることができる。本発明の代替的な一実施形態では、各顎部と上記本体部とが一体部品から形成され、回動地点でその部品は肉薄の断面を有することにより顎部が本体部に対して回動することを可能にし、弾性部材が顎部を閉位置へ付勢するためにも設けられる。本発明の別の代替的な実施形態では、弾性部分が顎部と本体部とを連結する弾性材料部分を備える。
【００１３】
本発明の別の実施形態では、本体部は、顎部が連結されるベースと、少なくとも１つの装飾カバーとを備える。この実施形態では、少なくとも１つの上記装飾カバーは、使用の際に取り外し可能であり、それにより異なるカバーをベースに連結することを可能にする。
【００１４】
本発明の別の実施形態では、本体は、本体を貫通する中央開口を回動軸間に画定する細い縁領域部分で形成される。したがって、この実施形態では、装着者の髪を本体を通して見ることができるため、ヘアクリップが見えにくくなる。
【００１５】
本発明の一実施形態では、それぞれの前記顎部は、使用の際に前記本体部と前記顎部との間に髪を挟持するだけの容積が形成されるような弓状の断面を有する。
【００１６】
本発明の一実施形態では、それぞれの前記顎部は、弾性的にヒンジ連結された複数の顎部分を備え、それらのヒンジ連結の各軸は、前記横方向に離間した軸に対して平行である。
【００１７】
本発明の１つの態様は、本体部と、該本体部に取り付けられた一対の顎部と、これら一対の顎部を片手で開くことを可能にする顎部開放装置とを備え、一対の顎部は、それぞれ櫛歯を有するとともに本体部に弾性的にヒンジ連結されることにより互いの櫛歯を合わせるように付勢して髪を把持し、一対の顎部は、互いに横方向に離間した軸を規定するヒンジ位置で本体部に連結され、顎部開放装置は、一対の顎部からそれぞれ前記櫛歯とは離れる方向へ延びる一対のハンドル部分を備えてこれらのハンドル部分を軸の回りで押し進めることにより一対の顎部を開くことを可能にし、本体部は、櫛歯で把持される髪を収容する凹部を含む、ヘアクリップを提供する。
【００１８】
本発明の別の態様は、本体部と、該本体部に取り付けられた一対の顎部と、これら一対の顎部を片手で開くことを可能にする顎部開放装置とを備え、一対の顎部は、それぞれ櫛歯を有するとともに本体部に弾性的にヒンジ連結されることにより互いの前記櫛歯を合わせるように付勢して髪を把持し、一対の顎部は、互いに横方向に離間した軸を規定するヒンジ位置で本体部に連結され、該本体部は、それぞれの顎部が連結されるベースと、少なくとも１つの装飾カバーとを備え、少なくとも１つの該装飾カバーは、使用の際に取り外し可能であり、それにより異なるカバーをベースに連結することを可能にする、ヘアクリップを提供する。
【００１９】
本発明の別の態様は、本体部と、該本体部に取り付けられた一対の顎部と、これら一対の顎部を片手で開くことを可能にする顎部開放装置とを備え、一対の顎部は、それぞれ櫛歯を有するとともに本体部に弾性的にヒンジ連結されることにより互いの前記櫛歯を合わせるように付勢して髪を把持し、一対の顎部は、互いに横方向に離間した軸を規定するヒンジ位置で本体部に連結され、本体部は、大きな開口を軸の間に画定する細い縁部分を有し、装着時に装着者の髪が大きな開口から見える、ヘアクリップを提供する。
【００２０】
本発明の別の態様は、本体部と、該本体部に取り付けられた一対の顎部と、これら一対の顎部を片手で開くことを可能にする顎部開放装置とを備え、一対の顎部は、それぞれ櫛歯を有するとともに本体部に弾性的にヒンジ連結されることにより互いの櫛歯を合わせるように閉位置へ付勢して髪を把持し、一対の顎部は、互いに横方向に離間したヒンジ軸を規定するヒンジ位置で本体部に連結され、一対の顎部および本体部は、一対の顎部が閉位置にあるときにほぼ円筒状の外面を画定する、ヘアクリップを提供する。
【００２１】
本発明の別の態様は、軸に沿って延びる本体部と、該本体部に取り付けられ且つそれぞれ櫛歯を有するとともに本体部に弾性的にヒンジ連結されることにより互いの櫛歯を合わせるように閉位置へ付勢して髪を把持し、軸と平行で互いに横方向に離間したヒンジ軸を画定するヒンジ位置で本体部に連結される一対の顎部と、これら一対の顎部を片手で開くことを可能にする顎部開放装置と、本体部と一対の顎部との間の隙間の少なくとも一部を覆うように顎部から延びかつ一対の顎部が開くときに本体部の下または上へ移動するように配置されるカバー部とを備えるヘアクリップを提供する。
【００２２】
本発明の別の態様は、軸に沿って延びる本体部と、該本体部に取り付けられるとともにそれぞれ櫛歯を有する一対の顎部と、それぞれの顎部を本体部に連結することにより互いの櫛歯を合わせるように閉位置へ付勢して髪を把持すると共に、軸と平行で互いに横方向に離間したヒンジ軸を画定するヒンジ位置にある弾性ヒンジ機構と、一対の顎部を片手で開くことを可能にする顎部開放装置と、それぞれの顎部と本体部との間で外側から弾性ヒンジ機構を覆い且つ本体部から延びるとともに顎部が開くときに顎部の下側で比較的内方へ移動するように配置される部分か、または顎部から延びるとともに顎部が開くときに本体部の下側で比較的内方へ移動するように配置される部分を備えるヒンジカバー部とを備えるヘアクリップを提供する。
【００２３】
本発明の別の態様は、本体部と、該本体部に取り付けられた一対の顎部と、これら一対の顎部を片手で開くことを可能にする顎部開放装置とを備え、一対の顎部は、それぞれ櫛歯を有するとともに本体部に弾性的にヒンジ連結されることにより互いの櫛歯を合わせるように閉位置へ付勢して髪を把持し、一対の顎部は、互いに横方向に離間した軸を規定するヒンジ位置で本体部に連結され、一対の櫛歯は、一対の顎部が閉位置にあるときに互いに合わさってほぼ一つの面をなすように配置される、ヘアクリップを提供する。
【図面の簡単な説明】
【００２４】
【図１】本発明の第１の実施形態に係るヘアクリップの斜視図である。
【図２】本発明の第１の実施形態に係るヘアクリップの分解組立図である。
【図３】閉位置における本発明の第１の実施形態に係るヘアクリップの断面図である。
【図４】開位置における本発明の第１の実施形態に係るヘアクリップの断面図である。
【図５】本発明の第２の実施形態に係るヘアクリップの分解組立図である。
【図６】本発明の第２の実施形態に係るヘアクリップの斜視図である。
【図７】本発明の第２の実施形態に係るヘアクリップの端面図である。
【図８】閉位置における本発明の第２の実施形態に係るヘアクリップの断面図である。
【図９】開位置における本発明の第２の実施形態に係るヘアクリップの断面図である。
【図１０】開位置におけるヘアクリップの内側を示す、本発明の第１の実施形態に係るヘアクリップの斜視図である。
【図１１】本発明の第３の実施形態に係るヘアクリップの斜視図である。
【図１２】本発明の第４の実施形態に係るヘアクリップの概略断面図である。
【図１３】本発明の第５の実施形態に係るヘアクリップの概略断面図である。
【図１４】本発明の更なる実施形態に係るヘアクリップの概略断面図である。
【発明を実施するための形態】
【００２５】
次に、図１〜図４を参照して、本発明の第１の実施形態を説明する。
この実施形態のヘアクリップは、ベース１ａおよびベース１ａに連結するカバー１ｂで形成される本体１を備える。装飾カバーは、カバーを変えることができるように使用の際に着脱可能であってもよく、または単に固定されていてもよい。固定用カバーは、製造工程中に種々のカバーを同じベース１ａに固定することができる。ベース１ａは、細長い弓形の装飾カバー１ｂを保持する細長い弓状の保持面を有する。保持面の下には、ベース１ａの両側に離間した位置でベース１ａから離れた方向に延びる２つのアーム４ａおよび４ｂが備わる。アーム４ａおよび４ｂは、枢支ピン６ａおよび６ｂを通すための回動穴５ａおよび５ｂを有する。
【００２６】
２つの向かい合う細長い顎部２および３は、湾曲したまたはほぼ弓状の断面を有する。回動アーム２ａおよび３ａはそれぞれ、各顎部２および３の上縁部から内方へ延び、各枢支ピン６ａおよび６ｂを通すための回動穴を有する。このようにして、顎部２および３は、互いに離間した回動軸の回りで回動するように、ベース１ａに取り付けられる。回動アーム２および３は、上部リップ２ｂおよび３ｂをそれぞれ有し、これらの上部リップは、ベース１ａの内面と係合することによって顎部２および３の閉位置を制限する役目を果たす。カバー部分２ｄおよび２ｅ、ならびに３ｄおよび３ｅは、顎部２および３の上縁部から回動アームと平行に延び、顎部が閉位置にあるときに顎部２および３とベース１ａとの間の隙間に架かる。回動アーム２ａおよび３ａ、ならびにカバー部分２ｄ、２ｅ、３ｄおよび３ｅからそれぞれ離れた、顎部２および３の一縁部に沿って、櫛歯２ｃおよび３ｃがそれぞれ互いに向かって延びて髪を把持するようになっている。閉位置において、顎部２および３の櫛歯２ｃおよび３ｃが噛み合う。顎部２および３には、ハンドル部分すなわち「翼」２ｆおよび３ｆが備わり、ハンドル部分は、顎部２および３の本体に沿って延び、かつ顎部２および３から櫛歯２ｃおよび３ｃとは離れた位置の、顎部２および３の上縁付近に延びる。ハンドル部分２ｆおよび３ｆは、回動地点よりも上に配置されるため、ハンドル部分を片手の指の間に狭持して強く押し、顎部２および３を開位置へ押し進めるようにすることができる。
【００２７】
また、枢支ピン６ａおよび６ｂには、バネアームを有するバネ７ａおよび７ｂが取り付けられ、バネアームは、アーム４ａおよび４ｂと回動アーム２ａおよび３ａとを係合させてそれらを互いに離れる方向に付勢し、それにより顎部２および３を閉位置へ付勢する。
【００２８】
この実施形態では、顎部２および３が、本体１の両側の横方向に離間した回動位置のまわりに回動するため、回動機構は本体１の下に隠れることがわかる。したがって、本体１を装飾して、ヘアクリップの見た目の美しさを高めることができる。この実施形態では、カバー１ａを変えることによって、所望に応じて外観を変えることもできる。
【００２９】
次に、図５〜図１０を参照して、本発明の第２の実施形態を説明する。この実施形態は、第１の実施形態に対し、顎部開放装置が異なる。
【００３０】
この実施形態のヘアクリップは、細長い弓状の装飾的な外面を有する本体１０を備える。装飾面の下には、本体１０の両側に離間した位置で、本体１０から離れた方向に延びる２つのアーム１０ａおよび１０ｂが備わる。アーム１０ａおよび１０ｂは、枢支ピン１５ａおよび１５ｂを通すための回動穴を有する。
【００３１】
２つの向かい合う細長い顎部１１および１２は、湾曲したまたはほぼ弓状の断面を有する。回動アーム１１ａおよび１２ａはそれぞれ、各顎部１１および１２の上縁部から内方へ延び、各枢支ピン１５ａおよび１５ｂを通すための回動穴を有する。このようにして、顎部１１および１２は、互いに離間した回動軸の回りで回動するように、本体１０に取り付けられる。回動アーム１１ａおよび１２ａからそれぞれ離れた顎部１１および１２の一縁部に沿って、櫛歯１１ｃおよび１２ｃがそれぞれ互いに向かって延びて髪を把持するようになっている。閉位置において、顎部１１および１２の櫛歯１１ｃおよび１２ｃが噛み合う。
【００３２】
上記顎部１１および１２を係合させて開くために、開放部材１３が備わる。本体１０には、内縁部に沿って延びる隆起部１０ｃおよび１０ｄと、本体の内面上に配置されて開放部材を係合させるための係合スロット１０ｅとが備わる。本体１０には、係合スロット１０ｅ付近で内面の一端部から延びる端部プレート１０ｆも備わる。開放部材１３は、本体１０の内面に嵌まる形状の断面を有する主部分１３ａと、本体１０の隆起部１０ｃおよび１０ｄに沿うように主部分１３ａの両側面に形成される溝１３ｂとを備えるため、開放部材１３は本体１０に沿って横方向に摺動することができる。開放部材１３は、主部分１３ａから延びるアーム部分１３ｃも有する。アーム部分１３ｃは、顎部の回動アーム１１ａおよび１２ａと係合して顎部１１および１２を付勢して開くための傾斜面１３ｄを有する。開放部材１３は、本体１０の係合スロット１０ｅと係合して開放部材１３が本体１０から外れるのを防ぐラッチ部材１３ｅを、アーム部分の端部に有する。ヘアクリップを片手で保持し、その片手の親指とのこりの指でそれぞれ開放部材１３および端部プレート１０ｆを強く押すことにより片手でヘアクリップを開くことができる。
【００３３】
また、枢支ピン１５ａおよび１５ｂには、バネアームを有するバネ１６ａおよび１６ｂが取り付けられ、バネアームは、アーム１０ａおよび１０ｂと回動アーム１１ａおよび１２ａとを係合させてそれらを互いに離れる方向に付勢し、それにより顎部２および３を閉位置へ付勢する。開放部材１３は、バネ１５ａおよび１５ｂの付勢力に逆らって操作することができる。
【００３４】
この実施形態では、顎部１１および１２が、本体１０の両側の横方向に離間した回動位置のまわりで回動するため、回動機構は本体１０の下に隠れることがわかる。したがって、本体１０を装飾して、ヘアクリップの見た目の美しさを高めることができる。
【００３５】
この実施形態では、アーム４ａおよび４ｂと係合する開放部材１３の面１３ｄは平らであるが、この面は、アーム４ａおよび４ｂに加わる顎部を開くための開放力を高める任意の適切な形状であることができる。例えば、この面は、三角形の断面になるように２つの向かい合う傾斜面から形成することができる。
【００３６】
次に、図１１を参照して、本発明の第３の実施形態を説明する。この実施形態のヘアクリップは、第１の実施形態のヘアクリップより短く、本体１００は大きな開口を有する。
【００３７】
この実施形態の本体１００は、顎部１０１および１０２を軸支する２つの回動軸の間に開口を形成する細い部材で形成される。したがって、この実施形態では、クリップを装着した場合に装着者の髪を開口から見ることができる。これにより、クリップが目立たなくなる。また、顎部の回動機構は、クリップの下側にまたは内側に取り付けられるため、使用の際に装着者の髪で隠れる。
【００３８】
この実施形態では、開口を覆うために本体１００に着脱可能に取り付けられるカバーを備えることができる。これにより、装着者は、装飾カバーを付けるか否かを選ぶことができ、またどの装飾カバーを使用するかを選ぶこともできる。
【００３９】
次に、図１２を参照して、本発明の第４の実施形態を説明する。この実施形態は、第１の実施形態に対し、顎部の本体への回動可能な取り付けを、材料を薄肉化することによって行うものである。
【００４０】
この実施形態のヘアクリップは、細長い弓状の保持面を有する本体２０を備える。本体の両側には、本体２０の細長い縁部に沿って、２つの顎部２１および２２が連結される。連結は、顎部２１および２２と本体２０との間で材料が肉薄になっている部分２５および２６で行われる。これにより、本体２０の縁部に沿って延びるヒンジすなわち回動地点が形成される。したがって、本体２０、ならびに顎部２１および２２は、それらの間に肉薄領域を有する同じ材料、例えばプラスチック材料で形成されることができる。あるいは、本体２０、ならびに顎部２１および２２は、３つの部品で形成され、肉薄部分の部分を互いに連結することによって結合することができる。
【００４１】
バネすなわち弾性部材２０は、顎部２１および２２と、本体との内側で、顎部２１および２２を閉位置へ付勢する弾力を与える。顎部２１および２２には、ハンドル部分２１ａおよび２２ａが備わり、片手でのヘアクリップの作業を可能にする。また、顎部２１および２２は、髪を把持するための櫛歯２１ｂおよび２２ｂを有する。
【００４２】
したがって、この実施形態では、顎部の回動軸が横方向に変位することにより、装飾的な本体を使用することを可能にし、なおかつ片手作業も可能にする。回動機構は、装飾本体の両側に変位される。
【００４３】
次に、図１３を参照して、本発明の第５の実施形態を説明する。この実施形態は、第４の実施形態に対し、顎部の本体への回動可能な取り付けを、顎部と本体とを相互連結する弾性材料の部分によって行うものである。
【００４４】
この実施形態のヘアクリップは、細長い弓状の保持面を有する本体３０を備える。本体の両側に、本体３０の細長い縁部に沿って、２つの顎部３１および３２が連結される。連結は、顎部３１および３２と本体３０との間の弾性材料３３および３４から成る部分で行われる。これにより、本体３０の縁部に沿って延びるヒンジすなわち回動地点が形成される。したがって、本体３０、ならびに顎部３１および３２は、３つの部品で形成され、弾性材料部分３３および３４との連結によって結合する。
【００４５】
顎部３１および３２には、ハンドル部分３１ａおよび３２ａが備わり、片手でのヘアクリップの作業を可能にする。また、顎部３１および３２は、髪を把持するための櫛歯３１ｂおよび３１ｂを有する。
【００４６】
したがって、この実施形態では、顎部の回動軸が横方向に変位することにより、装飾的な本体を使用することを可能にし、なおかつ片手作業も可能にする。回動機構は、装飾本体の両側に変位される。
【００４７】
図１４は、本発明のさらに別の実施形態を示す。この実施形態は、第５の実施形態に対し、顎部４１および４２が、複数の顎部分４１ｃ、４１ｄ、４２ｃおよび４２ｄで形成される。
【００４８】
この実施形態のヘアクリップは、細長い弓状の保持面を有する本体４０を備える。２つの顎部４１および４２が、本体４０の両側に、本体４０の細長い縁部に沿ってヒンジ連結されかつ弾性を有するように配置される。顎部４１および４２は、複数の顎部分４１ｃ、４１ｄ、４２ｃおよび４２ｄで形成される。第１の顎部分４１ｃおよび４２ｃはそれぞれ、弾性材料部分４４ａおよび４３ａによって、本体４０にヒンジ連結される。第２の顎部分４１ｄおよび４２ｄはそれぞれ、弾性材料部分４４ｂおよび４３ｂによって、第１の顎部分４１ｃおよび４２ｃにヒンジ連結される。ハンドル部分４１ａおよび４２ａが第２の顎部分４１ｄおよび４２ｄから延び、櫛歯４１ｂおよび４２ｂが第２の顎部分４１ｄおよび４２ｄに設けられる。
【００４９】
したがって、この実施形態では、弾性材料部分４４ａ、４３ａ、４４ｂおよび４３ｂが、細長い本体４０の軸と平行しているヒンジ連結部を提供する。
【００５０】
以上に説明した全ての実施形態では、ヘアクリップは、装飾的なプラスチック材料等の任意の適切な材料により、あるいはヘアクリップが宝飾品である場合は金または銀等の金属により作製することができる。弾性部材すなわちバネは、顎部と本体との間にバネ力を与えて顎部を閉位置へ付勢する、金属バネまたはプラスチックバネ等の任意の適切な材料で作製することができる。ヘアクリップは、任意の長さを有することができ、細長い必要はない。また、人工毛をヘアクリップに取り付けることもでき、それにより装着者がクリップを装着することで髪を長くみせることができる。
【００５１】
本発明は、特定の実施形態に関して説明されてきたが、変更形態が本発明の精神および範囲内にあることが当業者には明らかであろう。
【図１】
2010042278.tif 000003
【図２】
2010042278.tif 000004
【図３】
2010042278.tif 000005
【図４】
2010042278.tif 000006
【図５】
2010042278.tif 000007
【図６】
2010042278.tif 000008
【図７】
2010042278.tif 000009
【図８】
2010042278.tif 000010
【図９】
2010042278.tif 000011
【図１０】
2010042278.tif 000012
【図１１】
2010042278.tif 000013
【図１２】
2010042278.tif 000014
【図１３】
2010042278.tif 000015
【図１４】
2010042278.tif 000016